(57)【要約】    【課題】  外部の状況の変化に応じて、ミキシング対象外とするオーディオ信号を、出力先ごとに自動的に決定することができ、操作者の負担を軽減可能な信号処理装置、信号処理方法及び信号処理用プログラムを提供する。    【解決手段】  複数のチャンネルのオーディオ信号をミキシングし、選択された複数の中継局１〜ｉごとに出力する音声調整ミキシング装置１１０に、出力先ごとに少なくとも一つのチャンネルがミキシング対象外となるように、ミキシング対象となる系統を選択的に切り替える切替部１１２を備える。音声調整ミキシング装置１１０を制御する制御装置１２０に、切替部１１２を切り替え動作させるための連動条件を記憶する連動条件記憶部１２１と、外部機器（１）〜（Ｍ）から出力された連動条件が入力され、連動条件の変化を検出する検出部１２３とを備える。【選択図】  図１
2006352602.tif 000002
【特許請求の範囲】
【請求項１】
複数の系統のオーディオ信号を、所定の複数の出力先ごとのミキシング信号として出力するミキシング部を備えた信号処理装置において、
各出力先ごとに、少なくとも一つの系統がミキシング対象外となるように、ミキシング対象となる系統を選択的に切り替える切替部と、
前記切替部を切り替え動作させるための連動条件を出力する選択部と、
前記連動条件を記憶する連動条件記憶部と、
を有することを特徴とする信号処理装置。
【請求項２】
前記連動条件は、各出力先を識別する出力先識別情報と、前記出力先識別情報ごとに設定され、ミキシング対象若しくはミキシング対象外とする系統を指定するための指定情報とを含むことを特徴とする請求項１記載の信号処理装置。
【請求項３】
各系統ごとの前記指定情報が設定されたテーブルを記憶するテーブル記憶部と、
前記選択部から入力された連動条件と前記連動条件記憶部の連動条件とを比較して、連動条件の変化を検出する検出部と、
前記検出部により変化が検出された場合に、変化した連動条件と前記テーブルとを照合することにより、前記切替部がミキシング対象若しくはミキシング対象外とする系統を、各出力先ごとに判定する判定部と、
を有することを特徴とする請求項２記載の信号処理装置。
【請求項４】
前記連動条件にかかわらず、所望の系統を強制的にミキシング対象若しくはミキシング対象外とする情報を入力する入力部を有することを特徴とする請求項１〜３のいずれか１項に記載の信号処理装置。
【請求項５】
ミキシング部が複数の系統のオーディオ信号をミキシングしたミキシング信号を、所定の複数の出力先ごとに出力する信号処理方法において、
選択部が、各出力先ごとに少なくとも一つの系統をミキシング対象外とさせる条件である連動条件を出力し、
切替部が、前記連動条件に基づいて、ミキシング対象となる系統を選択的に切り替えることを特徴とする信号処理方法。
【請求項６】
前記連動条件は、各出力先を識別する出力先識別情報と、前記出力先識別情報ごとに設定され、いずれの系統をミキシング対象とするか否かを指定するための指定情報を含むことを特徴とする請求項５記載の信号処理方法。
【請求項７】
テーブル記憶部が、各系統ごとの指定情報が設定されたテーブルを記憶し、
連動条件記憶部が、あらかじめ連動条件を記憶し、
検出部が、外部から入力された連動条件とあらかじめ記憶された連動条件とを比較して、連動条件の変化を検出し、
検出部により変化が検出された場合に、判定部が、変化した連動条件とテーブルとを照合することにより、切替部によってミキシング対象若しくはミキシング対象外となる系統を各出力先ごとに判定することを特徴とする請求項６記載の信号処理方法。
【請求項８】
コンピュータを制御することにより、複数の系統のオーディオ信号をミキシングさせたミキシング信号を、所定の複数の出力先ごとに出力させる信号処理用プログラムにおいて、
前記コンピュータに、
各出力先ごとに少なくとも一つの系統をミキシング対象外とさせる条件である連動条件を入力させ、
前記連動条件に基づいて、ミキシング対象となる系統を選択的に切り替えさせることを特徴とする信号処理用プログラム。
【請求項９】
前記連動条件は、各出力先を識別する出力先識別情報と、前記出力先識別情報ごとに設定され、いずれの系統をミキシング対象とするか否かを指定するための指定情報を含むことを特徴とする請求項８記載の信号処理用プログラム。
【請求項１０】
前記コンピュータに、
各系統ごとの指定情報が設定されたテーブルを記憶させ、
連動条件をあらかじめ記憶させ、
入力された連動条件と記憶された連動条件との比較により、連動条件の変化を検出させ、
変化が検出された場合に、変化した連動条件とテーブルとを照合することにより、切替部がミキシング対象若しくはミキシング対象外とする系統を各出力先ごとに判定させることを特徴とする請求項９記載の信号処理用プログラム。
【発明の詳細な説明】
【技術分野】
【０００１】
本発明は、複数のオーディオ信号をミキシングして、所定の複数の出力先ごとに出力する信号処理技術に係り、特に、出力先に応じて、いずれかのオーディオ信号をミキシングの対象から除外する信号処理装置、信号処理方法並びに信号処理用プログラムに関する。
【背景技術】
【０００２】
テレビジョン放送やラジオ放送においては、放送局の外部の中継局で映像や音声を収集し、これを番組の内容に含めて放送する中継放送が、常時行われている。この中継放送では、図７に示すように、各中継局１〜ｉにおいて、アナウンサーその他の出演者の音声、周囲の音などが、マイクロフォンを介して入力され、これが衛星回線などの専用回線によって放送局１０に送信される。放送局１０では、受信した各中継局からの音声信号（オーディオ信号）を、ミキシング装置によってミキシングし、そのミキシング信号を各中継局１〜ｉに送信する。ミキシング信号を受信した各中継局１〜ｉでは、アナウンサーが、そのミキシング信号をイヤホンやヘッドセットなどで聞くことにより、番組の状況を把握しながら、アナウンス活動を行う。なお、放送される音声信号については、別途ミキシングされ、放送波Ｒとして出力される。
【０００３】
かかる場合に、アナウンサーが、自分が話した音声まで聞いてしまうと、信号の送受信等に起因するタイムラグがあるため、自分の声を遅れたタイミングで聞き続けることになり、非常に話しにくい。そこで、上記のようなミキシング装置は、各中継局に送信するミキシング信号について、それぞれの中継局におけるアナウンサーの音声の系統等、特定の系統のオーディオ信号を、ミキシングの対象から除外して、他のオーディオ信号のみをミキシングして出力している。このように、複数（例えば、Ｎ個）の系統うちの少なくとも１つの系統のオーディオ信号を除外（キャンセル）して（Ｎ−１）、他のオーディオ信号だけをミキシングして伝える回線は、Ｎ−１音声ミックスバスと呼ばれている。
【０００４】
かかるＮ−１音声ミックスバスに関連する技術として、特許文献１に示すように、中継局を識別できる情報に基づいて、各中継局自身のオーディオ信号を、それぞれの中継局へ送信する際に、中継局単位でミキシング信号から除外する技術が提案されている。
【特許文献１】特開２００５−６４５４９号公報
【発明の開示】
【発明が解決しようとする課題】
【０００５】
ところで、現実の中継放送においては、キャンセルすべき系統は固定的なものではなく、番組の進行に従って、中継局ごとに且つ系統ごとに、次々に変更させる必要が生じる。これに対処するため、従来の信号処理装置においては、各系統に用意された切替スイッチのオン・オフを、音声ミキシング装置の操作者（オペレータＡ）が手動で切り替えていた。一方、送信先となる中継局は、音声ミキシング装置とは別の操作者（オペレータＢ）が、どの中継局に接続するかを選択する外部機器を操作することにより選択しているが、この選択状態も、番組の進行に従って不定期に変化する。
【０００６】
このように、不定期に変化する外部機器の選択状態に応じて、オペレータＡが切替スイッチのオン・オフの制御を行うには、各々の外部機器に対応して設定された切替スイッチを、事前の打ち合わせ等に基づいてオペレータＡ自身が判断し、手操作により、必要なタイミングで素早く設定操作を行う必要があった。
【０００７】
しかし、オペレータＢの操作により外部機器での選択状態に変化が発生した後、オペレータＡが手操作でオン及びオフ制御を行うまでには、時間的な遅延が生じることになり、リアルタイム性が要求されるライブ放送等においては、運用上の種々の問題が発生する可能性があった。さらに、手操作による素早い設定操作を必要とするため、オペレータＡの負担が大きく、予期せぬ誤操作を招く要因となっていた。
【０００８】
上記の特許文献１に記載された発明では、中継局を識別し、中継局単位で音声をキャンセルするものであり、そのいずれかの系統の音声を、キャンセルせずにミキシングしたい場合、さらに中継局ごとにキャンセルすべきチャンネルが変化した場合には、やはりオペレータＡが自ら判断して手操作する必要があるため、同様の問題が生じる。
【０００９】
本発明は、上記のような従来技術の問題点を解決するために提案されたものであり、その目的は、外部の状況の変化に応じて、ミキシング対象外とするオーディオ信号を、出力先ごとに自動的に決定することができ、操作者の負担を軽減できる信号処理装置、信号処理方法及び信号処理用プログラムを提供することにある。
【課題を解決するための手段】
【００１０】
上記の目的を達成するため、請求項１の発明は、複数の系統のオーディオ信号を、所定の複数の出力先ごとのミキシング信号として出力するミキシング部を備えた信号処理装置において、各出力先ごとに、少なくとも一つの系統がミキシング対象外となるように、ミキシング対象となる系統を選択的に切り替える切替部と、前記切替部を切り替え動作させるための連動条件を出力する選択部と、前記連動条件を記憶する連動条件記憶部と、を有することを特徴とする。
【００１１】
請求項５の発明は、請求項１の発明を方法の観点から捉えたものであり、ミキシング部が複数の系統のオーディオ信号をミキシングしたミキシング信号を、所定の複数の出力先ごとに出力する信号処理方法において、選択部が、各出力先ごとに少なくとも一つの系統をミキシング対象外とさせる条件である連動条件を出力し、切替部が、前記連動条件に基づいて、ミキシング対象となる系統を選択的に切り替えることを特徴とする。
【００１２】
請求項８の発明は、請求項１、５の発明をコンピュータプログラムの観点から捉えたものであり、コンピュータを制御することにより、複数の系統のオーディオ信号をミキシングさせたミキシング信号を、所定の複数の出力先ごとに出力させる信号処理用プログラムにおいて、前記コンピュータに、各出力先ごとに少なくとも一つの系統をミキシング対象外とさせる条件である連動条件を入力させ、前記連動条件に基づいて、ミキシング対象となる系統を選択的に切り替えさせることを特徴とする。
【００１３】
以上のような請求項１、５及び８の発明では、連動条件に基づいて、出力先ごとに特定の系統のオーディオ信号のみを、自動的にミキシングの対象外とすることができるので、操作者に負担がかからず、誤操作を防止できる。
【００１４】
請求項２の発明は、請求項１の信号処理装置において、前記連動条件は、各出力先を識別する出力先識別情報と、前記出力先識別情報ごとに設定され、ミキシング対象若しくはミキシング対象外とする系統を指定するための指定情報とを含むことを特徴とする。
【００１５】
請求項６の発明は、請求項２の発明を方法の観点から捉えたものであり、請求項５の信号処理方法において、前記連動条件は、各出力先を識別する出力先識別情報と、前記出力先識別情報ごとに設定され、いずれの系統をミキシング対象とするか否かを指定するための指定情報を含むことを特徴とする。
【００１６】
請求項９の発明は、請求項２、６の発明をコンピュータプログラムの観点から捉えたものであり、請求項８の信号処理用プログラムにおいて、前記連動条件は、各出力先を識別する出力先識別情報と、前記出力先識別情報ごとに設定され、いずれの系統をミキシング対象とするか否かを指定するための指定情報を含むことを特徴とする。
【００１７】
以上のような請求項２、６及び９の発明では、外部から入力された連動条件に基づいて切替部を動作させることができるので、状況変化に応じて適切なタイミングによる素早い設定変更が可能となる。
【００１８】
請求項３の発明は、請求項２の信号処理装置において、各系統ごとの前記指定情報が設定されたテーブルを記憶するテーブル記憶部と、前記選択部から入力された連動条件と前記連動条件記憶部の連動条件とを比較して、連動条件の変化を検出する検出部と、前記検出部により変化が検出された場合に、変化した連動条件と前記テーブルとを照合することにより、前記切替部がミキシング対象若しくはミキシング対象外とする系統を、各出力先ごとに判定する判定部と、を有することを特徴とする。
【００１９】
請求項７の発明は、請求項３の発明を方法の観点から捉えたものであり、請求項６の信号処理方法において、テーブル記憶部が、各系統ごとの指定情報が設定されたテーブルを記憶し、連動条件記憶部が、あらかじめ連動条件を記憶し、検出部が、外部から入力された連動条件とあらかじめ記憶された連動条件とを比較して、連動条件の変化を検出し、検出部により変化が検出された場合に、判定部が、変化した連動条件とテーブルとを照合することにより、切替部によってミキシング対象若しくはミキシング対象外となる系統を各出力先ごとに判定することを特徴とする。
【００２０】
請求項１０の発明は、請求項３、７の発明をコンピュータプログラムの観点から捉えたものであり、請求項９の信号処理用プログラムにおいて、前記コンピュータに、各系統ごとの指定情報が設定されたテーブルを記憶させ、連動条件をあらかじめ記憶させ、入力された連動条件と記憶された連動条件との比較により、連動条件の変化を検出させ、変化が検出された場合に、変化した連動条件とテーブルとを照合することにより、切替部がミキシング対象若しくはミキシング対象外とする系統を各出力先ごとに判定させることを特徴とする。
【００２１】
以上のような請求項３、７及び１０の発明では、連動条件に変更があった場合にのみ、テーブルとの照合により設定が変更されるので、処理負担が軽減される。また、あらかじめ設定されたテーブルとの照合により設定変更できるので、切り替え対象となる切替部を直接指定する情報を用いるよりも、送受信される情報を簡素化できる。
【００２２】
請求項４の発明は、請求項１〜３のいずれか１項の信号処理装置において、前記連動条件にかかわらず、所望の系統を強制的にミキシング対象若しくはミキシング対象外とする情報を入力する入力部を有することを特徴とする。
【００２３】
以上のような請求項４の発明では、状況変化にかかわらず、固定的にミキシング対象若しくはミキシング対象外としたい系統がある場合に、当該系統を指定することができる。
【発明の効果】
【００２４】
本発明によれば、外部の状況の変化に応じて、ミキシング対象外とするオーディオ信号を、出力先ごとに自動的に決定することができ、操作者の負担を軽減可能な信号処理装置、信号処理方法及び信号処理用プログラムを提供することができる。
【発明を実施するための最良の形態】
【００２５】
以下、本発明を実施するための最良の形態（実施形態）について、図面を参照して説明する。
［実施形態の構成］
まず、本実施形態の構成を説明する。すなわち、図１に示すように、本実施形態の信号処理装置１００は、放送局１０側に設置された外部機器（１）〜（Ｍ）、音声調整ミキシング装置１１０、制御装置１２０、入出力装置１３０によって構成されている。なお、放送局１０と中継局１〜ｉ（図７参照）との間は、電話回線などの通信手段を利用して接続される。中継局１〜ｉのいずれと接続することにより、オーディオ信号及びミキシング信号を送受信可能とするかは、例えば、外部機器（１）〜（Ｍ）による中継局１〜ｉの選択状態に応じて、構内ＰＢＸなどが呼制御を行うことにより実現可能であるが、そのための具体的な構成は周知の技術であり、説明を省略する。また、請求項の「出力先」は、各外部機器（１）〜（Ｍ）により選択された中継局１〜ｉを意味する。
【００２６】
［外部機器］
外部機器（１）〜（Ｍ）は、各種設定を入力するための入力部２０、連動セレクトＩＤを出力するセレクト部２１を備えている。これらの外部機器（１）〜（Ｍ）は、請求項の「選択部」に対応する。入力部２０は、中継局１〜ｉを選択するためのスイッチ（図中、矩形で囲んだ１、２、３…ｉ）等を有している。連動セレクトＩＤは、外部機器（１）〜（Ｍ）が選択した中継局１〜ｉにおいて、それぞれキャンセルされる系統（以下、チャンネルと呼ぶ）を切り替えるための信号であり、入力部２０における中継局１〜ｉの選択状態に応じて、セレクト部２１から出力される。
【００２７】
［音声調整ミキシング装置］
音声調整ミキシング装置１１０は、外部機器（１）〜（Ｍ）によって選択された中継局１〜ｉごとに、複数チャンネルのオーディオ信号のミキシングその他の調整処理を行って出力する装置であり、音声調整部１１１と切替部１１２とを備えている。なお、本実施形態において、「オーディオ信号」とは、それぞれの中継局１〜ｉにおいて、例えば、アナウンサーが発した音声や外部の音声など、マイク等を介して入力された音声信号である。また、本実施形態では、音声調整ミキシング装置１１０によって、各中継局１〜ｉごとに特定のチャンネルがキャンセルされてミキシングされた音声信号を「ミキシング信号」と呼ぶ。
【００２８】
音声調整部１１１は、スイッチ、ボリューム、タッチパネル等の入力手段（図示せず）から入力された設定に応じて、各チャンネルごとの音量等の各種調整を行う手段である。切替部１１２は、音声調整部１１１における処理対象となるチャンネルを、選択された中継局１〜ｉごとに選択的に切り替えて出力する手段である。この切替部１１２は、図２に示すように、入力されるオーディオ信号の全チャンネルＣＨ−１〜ＣＨ−Ｎに対応する回線と、選択された中継局１〜ｉへ出力されるミキシング信号の回線とを、マトリクス状に配置し、各回線のクロスポイントにチャンネルＣＨ−１〜ＣＨ−Ｎのオン・オフを切り替えるスイッチＳＷを設定したものである。
【００２９】
このようなクロスポイントの構造テーブルの一例を、図３に示す。この構造テーブルにおいて、各列は各チャンネルＣＨ−１〜ＣＨ−Ｎに対応し、各行は外部機器（１）〜（Ｍ）に対応している。ＣＨ＿ＳＥＴ［１］〜［Ｎ］は各チャンネルＣＨ−１〜ＣＨ−Ｎを識別する識別情報であり、ＩＤ［１］〜［Ｍ］は各外部機器（１）〜（Ｍ）の選択状態を識別する識別情報である。そして、Ｎ１ＸＰ［・］［・］は、ＣＨ＿ＳＥＴ［・］、ＩＤ［・］の添字の値によってクロスポイントを特定するための配列であり、Ｎ１ＸＰ［Ｎ］［Ｍ］は、外部機器Ｍ（が選択した中継局）に対応するチャンネルＮのクロスポイントを示す。
【００３０】
［制御装置］
制御装置１２０は、中継局１〜ｉを選択する外部機器（１）〜（Ｍ）から受信した連動セレクトＩＤに応じて、切替部１１２の動作を制御する装置である。この制御装置１２０は、連動条件記憶部１２１、連動条件設定テーブル記憶部１２２、検出部１２３、判定部１２４、連動指示部１２５、更新処理部１２６を有している。連動条件記憶部１２１は、切替部１１２の各スイッチＳＷの連動条件を記憶する手段である。連動条件は、図４に示すように、外部機器（１）〜（Ｍ）の選択状態を識別するための連動セレクトＩＤと、この連動セレクトＩＤに対応する設定値ｉによって構成されている。設定値ｉは、後述する連動条件設定テーブルと照合することにより、キャンセルされるチャンネルを指定する指定情報となる。例えば、ＩＤ［１］＝５は、外部機器（１）が選択している中継局５に出力するミキシング信号については、連動条件設定テーブルにおいてｉ＝５の値を持つチャンネルをキャンセルすることを意味する。
【００３１】
連動条件設定テーブルは、図５に示すように、各チャンネルＣＨ−１〜ＣＨ−Ｎにおいて、連動セレクトＩＤの設定値ｉがいくつのとき、当該チャンネルがキャンセルされるかの条件を設定したテーブルである。１つのチャンネルに対して、複数の連動セレクトＩＤの設定値を持たせることが可能であり、これらは全て論理和（ＯＲ）で動作する。例えば、図５の例では、ＩＤ［Ｍ］＝５を出力してきた外部機器（Ｍ）が選択している中継局５に関しては、チャンネルＣＨ−１のクロスポイントのスイッチＳＷをオフにする制御を行う。また、ＩＤ［Ｍ］＝１０、１３、１５のいずれかを出力してきた外部機器（Ｍ）が選択している中継局１０、１３、１５に関しては、チャンネルＣＨ−２のクロスポイントのスイッチＳＷをオフにする制御を行う。さらに、ＩＤ［Ｍ］＝１５、１８のいずれかを出力してきた外部機器（Ｍ）が選択している中継局１５、１８に関しては、チャンネル３のクロスポイントのスイッチＳＷをオフにする制御を行う。なお、ｉ＝０は、設定無し、すなわち当該チャンネルのクロスポイントのスイッチＳＷをオンに維持することを意味する。
【００３２】
検出部１２３は、外部機器（１）〜（Ｍ）から入力された連動セレクトＩＤの値を、連動条件記憶部１２１に記憶された連動セレクトＩＤの値と比較して、変化があったかどうかを検出する手段である。また、検出部１２３は、検出条件設定テーブルの変更について検出する機能も有する。判定部１２４は、変化した連動セレクトＩＤと連動条件設定テーブルに基づいて、各連動セレクトＩＤの設定値に対応するｉの値を有するチャンネルを判定する手段である。連動指示部１２５は、判定部１２４による判定結果に基づいて、切替部１１２における各スイッチＳＷの連動を指示する手段である。
【００３３】
この連動指示部１２５は、新たな連動セレクトＩＤの設定値に対応する値が、連動条件設定テーブルに存在する場合（連動条件が成立する場合）、該当するチャンネルのクロスポイントのスイッチＳＷをオフにする。新たな連動セレクトＩＤの設定値に対応する値が０若しくは連動条件設定テーブルに存在しない場合（連動条件が成立しない場合）、該当するチャンネルのクロスポイントのスイッチＳＷをオンに維持若しくはオンに切り替える。なお、連動指示部１２５は、変化が検出されない場合には特に動作せず、スイッチＳＷの設定をそのまま維持させる。さらに、更新処理部１２６は、連動条件記憶部１２１に記憶された連動セレクトＩＤの設定値、連動条件設定テーブルの設定値を、変化後の値に更新する手段である。
【００３４】
［入出力装置］
入出力装置１３０は、キーボード、スイッチ等の入力部１３１と、ディスプレイ等の出力部１３２とを有する。入力部１３１は、信号処理装置１００の各種設定を入力するための手段であり、オペレータが、連動条件や連動条件設定テーブルについて、所望の値を入力することができる。なお、入力部１３１によって入力された設定と、連動セレクトＩＤの設定とは、論理和（ＯＲ）の関係で動作させる。
【００３５】
出力部１３２は、信号処理装置１００の各種設定を表示させるための表示装置である。オペレータは、出力部１３２の表示画面によって、連動条件設定テーブル、連動条件、クロスポイントのオン・オフ状態等を視覚的に認識することができ、入力部１３１による入力操作がし易くなる。表示画面のレイアウト等のインタフェースは、自由に設定可能である。なお、出力部１３２にタッチパネルの機能を持たせて、入力部１３１の役割を果たす構成とすることもできる。これは、外部機器（１）〜（Ｍ）における入力部２０も同様である。
【００３６】
［実施形態の作用］
以上のような本実施形態におけるＮ−１音声ミキシングバスの動作手順を、図６のフローチャートを参照して説明する。まず、初期状態においては、例えば、連動条件記憶部１２１に記憶された連動セレクトＩＤ［１］〜［Ｍ］の値が全て０に設定されていることにより、全クロスポイントのスイッチＳＷがオンとなっているものとする。
【００３７】
［連動セレクトＩＤが変化した場合］
信号処理装置１００が起動され（ステップ６０１）、外部機器（１）〜（Ｍ）のオペレータＢが、入力部２０から、所望の中継局１〜ｉを選択する入力操作を行うことにより、セレクト部２１が対応する連動セレクトＩＤを出力する。この連動セレクトＩＤは、図１及び図４に示すように、制御装置１２０に入力される。
【００３８】
制御装置１２０の検出部１２３は、連動条件記憶部１２１に記憶された連動条件の設定を読み込み（ステップ６０２）、入力された全外部機器（１）〜（Ｍ）の連動セレクトＩＤを読み込み（ステップ６０３）、両者を比較して、連動セレクトＩＤに変化が生じたことを検出する（ステップ６０４）。
【００３９】
判定部１２４は、連動条件設定テーブルの全チャンネルの設定を検索し、各外部機器（１）〜（Ｍ）に対応して、変化した新たな連動セレクトＩＤの値に一致する値を持つチャンネルがあるかどうかを判定する（ステップ６０５）。各連動セレクトＩＤごとに、一致する値が存在する場合（連動条件が成立する場合）には、該当するチャンネルのクロスポイントのスイッチＳＷをオフにする（ステップ６０６）。例えば、図５の例で、中継局５を選択している外部機器（１）から、連動セレクトＩＤ［１］＝５が入力された場合、連動条件設定テーブルのチャンネルＣＨ−１に、一致する値ｉ＝５が設定されているので、該当するクロスポイントＮ１ＸＰ［１］［１］（図２、３参照）のスイッチＳＷをオフにする。
【００４０】
そして、更新処理部１２６は、変化した新たな連動セレクトＩＤの値によって、連動条件を更新する（ステップ６０９）。以上のように、各外部機器（１）〜（Ｍ）ごとに、スイッチＳＷをオフとしてミキシング対象外とするチャンネルが決定され、生成されたミキシング信号が、それぞれの外部機器（１）〜（Ｍ）が選択した中継局１〜iに送信される（ステップ６１０）。
【００４１】
上記の手順によって、外部機器（１）〜（Ｍ）によって選択された中継局１〜ｉが受信するミキシング信号は、特定のチャンネルがキャンセルされたものとなる。さらに、状況の変化に応じて、外部機器（１）〜（Ｍ）のオペレータＢの入力操作若しくは外部機器（１）〜（Ｍ）の自動設定によって、変化した連動セレクトＩＤが出力されると、これが制御装置１２０に入力される。
【００４２】
検出部１２３は、上記と同様に、連動条件記憶部１２１に記憶された連動条件の設定値を読み込み（ステップ６０２）、受信した全外部機器の連動セレクトＩＤを読み込み（ステップ６０３）、両者を比較して、連動セレクトＩＤに変化が生じたことを検出する（ステップ６０４）。
【００４３】
判定部１２４は、連動条件設定テーブルの全チャンネルの設定を検索し、各外部機器（１）〜（Ｍ）に対応して、変化した新たな連動セレクトＩＤの値に一致する値を持つチャンネルがあるかどうかを判定する（ステップ６０５）。各連動セレクトＩＤごとに、一致する値が存在する場合（連動条件が成立する場合）には、該当するチャンネルのクロスポイントのスイッチＳＷをオフにする（ステップ６０６）。また、判定部１２４は、変化した連動セレクトＩＤの値と、これに対応するスイッチＳＷがオフとなっているチャンネルの値とが一致しないと判定した場合（連動条件が解除された場合）には（ステップ６０７）、当該チャンネルのクロスポイントのスイッチＳＷをオンにする（ステップ６０８）。
【００４４】
そして、それ以外のクロスポイントのスイッチＳＷについては、オン状態を維持する。更新処理部１２６は、変化した新たな連動セレクトＩＤの値によって、連動条件を更新する（ステップ６０９）。以上のように、各外部機器（１）〜（Ｍ）が選択した中継局１〜ｉごとに、スイッチＳＷをオフとしてミキシング対象外となるチャンネルが新たに決定された後、生成されたミキシング信号が、それぞれの中継局１〜ｉに送信される（ステップ６１０）。これにより、各中継局１〜ｉにおけるアナウンサー等は、自らの音声等、特定の音声のみがキャンセルされた信号を聴取しながら、中継を行うことができる。
【００４５】
［連動条件設定テーブルの設定が変化した場合］
さらに、連動条件設定テーブルＣＨ＿ＳＥＴ［１］〜［Ｎ］の設定値が変更された場合について説明する。まず、制御装置１２０側のオペレータＣが、入力部１３１を入力操作することにより、連動条件設定テーブルＣＨ＿ＳＥＴ［１］〜［Ｎ］の値を変更する。
【００４６】
かかる変更が検出部１２３によって検出されると、判定部１２４は、連動条件記憶部１２１に記憶された連動条件の連動セレクトＩＤの値を読み込み、変更後の連動条件設定テーブルの全チャンネルの設定を検索し、各外部機器の連動セレクトＩＤと一致する値を持つチャンネルがあるかどうかを判定する。
【００４７】
各連動セレクトＩＤごとに、一致する値が存在する場合（連動条件が成立する場合）には、該当するチャンネルのクロスポイントのスイッチＳＷをオフにする。連動セレクトＩＤの値と、これに対応するスイッチＳＷがオフとなっているチャンネルの値とが一致しないと判定した場合（連動条件が解除された場合）には、当該チャンネルのクロスポイントのスイッチＳＷをオンにする。そして、それ以外のクロスポイントのスイッチＳＷについては、オン状態を維持する。
【００４８】
以上のように、各外部機器（１）〜（Ｍ）ごとに、スイッチＳＷをオフとしてミキシング対象外となるチャンネルが新たに決定された後、生成されたミキシング信号が、それぞれの外部機器（１）〜（Ｍ）が選択した中継局１〜ｉに送信される。
【００４９】
［手動による設定］
上記のオペレータＣが、入力部１３１によって、特定のスイッチＳＷがオフとなるように指定することもできる。かかる場合に、入力された設定と、連動セレクトＩＤとの設定を論理和（ＯＲ）の関係で動作させることにより、これに対応する外部機器が選択した中継局へ送信されるミキシング信号は、常時、当該チャンネルのオーディオ信号がキャンセルされた状態を維持することができる。また、かかる強制的な設定を有効とするか無効とするかをトグル動作で設定することもできる。
【００５０】
［効果］
以上のような本実施形態によれば、外部機器（１）〜（Ｍ）から入力された連動セレクトＩＤの値に基づいて、各外部機器（１）〜（Ｍ）が選択した中継局１〜ｉごとに、特定のチャンネルのオーディオ信号のみを、自動的にキャンセルすることができるので、音声調整ミキシング装置１１０のオペレータＡに負担がかからず、誤操作も防止できる。また、各外部機器（１）〜（Ｍ）の状況変化に応じて、適切なタイミングによる素早い設定変更が可能となり、ライブ放送時等あっても、運用上の不具合を防止できる。
【００５１】
そして、連動セレクトＩＤに変更があった場合にのみ、連動条件設定テーブルとの照合により、スイッチＳＷのオン・オフ設定が変更されるので、処理負担が軽減される。さらに、受信した連動セレクトＩＤを、あらかじめ制御装置１２０側で設定された連動条件設定テーブルと照合することにより設定変更できるので、切り替え対象となる多数のスイッチＳＷを直接指定する情報をやり取りするよりも、情報を簡略化できる。
【００５２】
また、中継局１〜ｉ単位ではなく、チャンネルごとに、キャンセルするか否かを選択でき、これを適宜自動的に変更させることができるので、状況変化に応じて、きめ細かい設定と、臨機応変の対応が可能となる。さらに、各中継局１〜ｉごとに、常時固定的にオフとしたいチャンネルを手動で設定することもできるので、外部機器（１）〜（Ｍ）側からの連動セレクトＩＤが誤っていた場合等に、制御装置１２０側の意図しない変更がなされることを防止できる。
【００５３】
［他の実施形態］
本発明は、上記のような実施形態に限定されるものではない。外部機器の数、使用するオーディオ信号のチャンネル数は、特定のものには限定されない。中継局の数、音源の数等に応じて、自由に設定可能である。音源の種類も自由である。一つの中継局で、複数のチャンネルのオーディオ信号をキャンセルできるようにしてもよい。また、連動条件や連動条件設定テーブルの内容やその表現形式も、上記実施形態で例示したものには限定されない。
【００５４】
なお、信号処理装置やこれを構成する外部機器等の各部を実現するための回路は、例えば、各部の機能を実現するＡＳＩＣやＣＰＵ等のＩＣチップやその他の周辺回路によって構成したり、複数の機能を集約したシステムＬＳＩによって構成する等、種々考えられるものであり、特定のものには限定されない。記憶部としてどのような種類、容量のメモリを確保するか、どのようなデータ形式を採用するかについても自由である。ハードウェア処理によって実現する範囲とソフトウェア処理によって実現する範囲も自由である。
【００５５】
また、上記の信号処理装置やこれを構成する外部機器等の各部の機能を、パーソナルコンピュータやサーバ装置のような汎用のコンピュータをプログラムで制御することによって、実現することもできる。この場合のプログラムは、コンピュータのハードウェアを物理的に活用することで、各部の機能を実現するものであり、かかるプログラム及びプログラムを記録したハードディスク、ＣＤ−ＲＯＭ、ＤＶＤ−ＲＯＭその他の種々の記録媒体は単独でも本発明の一態様である。従って、例えば、コンピュータにアプリケーションプログラムをインストールすることにより、本発明を構成することもできる。
【図面の簡単な説明】
【００５６】
【図１】本発明の実施形態の構成例を示す機能ブロック図である。
【図２】図１の実施形態の切替部におけるクロスポイントを示す説明図である。
【図３】図２の各クロスポイントを特定するためのテーブルである。
【図４】図１の実施形態において送受信若しくは入力される情報の例を示す説明図である。
【図５】図１の実施形態における連動条件設定テーブルの一例を示す説明図である。
【図６】図１の実施形態における処理の流れを示すフローチャートである。
【図７】Ｎ−１音声ミックスを利用した中継放送システムの一例を示す概念図である。
【符号の説明】
【００５７】
１〜ｉ…中継局
（１）〜（Ｍ）…外部機器
１０…放送局
２０…入力部
２１…セレクト部
１００…信号処理装置
１１０…音声調整ミキシング装置
１１１…音声調整部
１１２…切替部
１２０…制御装置
１２１…連動条件記憶部
１２２…連動条件設定テーブル記憶部
１２３…検出部
１２４…判定部
１２５…連動指示部
１２６…更新処理部
１３０…入出力装置
１３１…入力部
１３２…出力部
ＣＨ−１〜ＣＨ−Ｎ…チャンネル
ＳＷ…スイッチ
【図１】
2006352602.tif 000003
【図２】
2006352602.tif 000004
【図３】
2006352602.tif 000005
【図４】
2006352602.tif 000006
【図５】
2006352602.tif 000007
【図６】
2006352602.tif 000008
【図７】
2006352602.tif 000009